(57)【要約】      （修正有）【課題】受信条件が適切に設定されるまでの間に受信に失敗する可能性を低減でき、かつ、受信条件が適切に設定されるまでの時間を短縮できる電子機器および電子機器の制御方法を提供する。【解決手段】電子機器１は、位置情報衛星から衛星信号を受信する受信部４５と、照射される光の照度に関する値を検出する照度検出部と、現在地の位置情報に基づいて、照度閾値の値を設定する閾値設定部５５と、照度検出部により検出された値に基づいて、照度が照度閾値以上か否かを判定し、照度が照度閾値以上の場合、受信部４５を作動して受信処理を実行する受信制御部５１と、を備える。【選択図】図４
2017138160.tif 000002
【特許請求の範囲】
【請求項１】
位置情報衛星から衛星信号を受信する受信部と、
照射される光の照度に関する値を検出する照度検出部と、
現在地の位置情報に基づいて、照度閾値の値を設定する閾値設定部と、
前記照度検出部により検出された値に基づいて、前記照度が前記照度閾値以上か否かを判定し、前記照度が前記照度閾値以上の場合、前記受信部を作動して受信処理を実行する受信制御部と、を備える
ことを特徴とする電子機器。
【請求項２】
位置情報衛星から衛星信号を受信する受信部と、
照射される光の照度に関する値を検出する照度検出部と、
現在の時刻を示す時刻情報に基づいて、照度閾値の値を設定する閾値設定部と、
前記照度検出部により検出された値に基づいて、前記照度が前記照度閾値以上か否かを判定し、前記照度が前記照度閾値以上の場合、前記受信部を作動して受信処理を実行する受信制御部と、を備える
ことを特徴とする電子機器。
【請求項３】
位置情報衛星から衛星信号を受信する受信部と、
照射される光の照度に関する値を検出する照度検出部と、
現在地の位置情報に基づいて、時間閾値の値を設定する閾値設定部と、
前記照度検出部により検出された値に基づいて、前記照度が照度閾値以上となる高照度状態の継続時間が、前記時間閾値以上か否かを判定し、前記高照度状態の継続時間が前記時間閾値以上の場合、前記受信部を作動して受信処理を実行する受信制御部と、を備える
ことを特徴とする電子機器。
【請求項４】
位置情報衛星から衛星信号を受信する受信部と、
照射される光の照度に関する値を検出する照度検出部と、
現在の時刻を示す時刻情報に基づいて、時間閾値の値を設定する閾値設定部と、
前記照度検出部により検出された値に基づいて、前記照度が照度閾値以上となる高照度状態の継続時間が、前記時間閾値以上か否かを判定し、前記高照度状態の継続時間が前記時間閾値以上の場合、前記受信部を作動して受信処理を実行する受信制御部と、を備える
ことを特徴とする電子機器。
【請求項５】
位置情報衛星から衛星信号を受信する受信部と、
照射される光の照度に関する値を検出する照度検出部と、
現在の時刻を示す時刻情報および現在地の位置情報に基づいて、照度閾値および時間閾値の値を設定する閾値設定部と、
前記照度検出部により検出された値に基づいて、前記照度が前記照度閾値以上となる高照度状態の継続時間が、前記時間閾値以上か否かを判定し、前記高照度状態の継続時間が前記時間閾値以上の場合、前記受信部を作動して受信処理を実行する受信制御部と、を備える
ことを特徴とする電子機器。
【請求項６】
請求項１、請求項３、請求項５のいずれか１項に記載の電子機器において、
前記受信部は、前記衛星信号に基づいて測位演算を実行することで前記位置情報を取得して出力し、
前記閾値設定部は、前記受信部から出力された前記位置情報に基づいて、閾値の値を設定する
ことを特徴とする電子機器。
【請求項７】
請求項１、請求項３、請求項５のいずれか１項に記載の電子機器において、
前記受信部は、前記衛星信号に基づいて測位演算を実行することで前記位置情報を取得して出力し、
前記受信部から出力された前記位置情報を記憶する位置情報記憶部を備え、
前記閾値設定部は、前記位置情報記憶部に記憶される前記位置情報が更新された場合、更新された前記位置情報に基づいて、閾値の値を設定する
ことを特徴とする電子機器。
【請求項８】
請求項１、請求項３、請求項５から請求項７のいずれか１項に記載の電子機器において、
都市を示す都市情報を選択する選択操作が行われる操作部と、
前記操作部の前記選択操作に応じて前記都市情報を選択し、選択した都市情報に基づいて前記位置情報を設定する位置情報設定部と、を備える
ことを特徴とする電子機器。
【請求項９】
電子機器の制御方法であって、
照射される光の照度に関する値を検出するステップと、
現在地の位置情報に基づいて、照度閾値の値を設定するステップと、
前記検出するステップにより検出された値に基づいて、前記照度が前記照度閾値以上か否かを判定し、前記照度が前記照度閾値以上の場合、位置情報衛星から衛星信号を受信する受信処理を実行するステップと、を備える
ことを特徴とする電子機器の制御方法。
【請求項１０】
電子機器の制御方法であって、
照射される光の照度に関する値を検出するステップと、
現在の時刻を示す時刻情報に基づいて、照度閾値の値を設定するステップと、
前記検出するステップにより検出された値に基づいて、前記照度が前記照度閾値以上か否かを判定し、前記照度が前記照度閾値以上の場合、位置情報衛星から衛星信号を受信する受信処理を実行するステップと、を備える
ことを特徴とする電子機器の制御方法。
【請求項１１】
電子機器の制御方法であって、
照射される光の照度に関する値を検出するステップと、
現在地の位置情報に基づいて、時間閾値の値を設定するステップと、
前記検出するステップにより検出された値に基づいて、前記照度が照度閾値以上となる高照度状態の継続時間が、前記時間閾値以上か否かを判定し、前記高照度状態の継続時間が前記時間閾値以上の場合、位置情報衛星から衛星信号を受信する受信処理を実行するステップと、を備える
ことを特徴とする電子機器の制御方法。
【請求項１２】
電子機器の制御方法であって、
照射される光の照度に関する値を検出するステップと、
現在の時刻に基づいて、時間閾値の値を設定するステップと、
前記検出するステップにより検出された値に基づいて、前記照度が照度閾値以上となる高照度状態の継続時間が、前記時間閾値以上か否かを判定し、前記高照度状態の継続時間が前記時間閾値以上の場合、位置情報衛星から衛星信号を受信する受信処理を実行するステップと、を備える
ことを特徴とする電子機器の制御方法。
【請求項１３】
電子機器の制御方法であって、
照射される光の照度に関する値を検出するステップと、
現在の時刻を示す時刻情報および現在地の位置情報に基づいて、照度閾値および時間閾値の値を設定するステップと、
前記検出するステップにより検出された値に基づいて、前記照度が前記照度閾値以上となる高照度状態の継続時間が、前記時間閾値以上か否かを判定し、前記高照度状態の継続時間が前記時間閾値以上の場合、位置情報衛星から衛星信号を受信する受信処理を実行するステップと、を備える
ことを特徴とする電子機器の制御方法。
【発明の詳細な説明】
【技術分野】
【０００１】
本発明は、衛星信号を受信する電子機器および電子機器の制御方法に関する。
【背景技術】
【０００２】
従来、ＧＰＳ衛星などの位置情報衛星から衛星信号を受信する電子機器において、予め設定された受信条件に該当すると衛星信号を受信する受信処理を実行する電子機器が知られている。このような電子機器には、電子機器を使用する人の生活環境に合せて受信条件の最適化を図るものがある（例えば、特許文献１参照）。
特許文献１の電子機器は、ソーラーセルに当たる光の照度が照度閾値以上となる高照度状態を検出すると、電子機器に屋外で太陽光が照射されていると判定し、衛星信号を受信する受信処理を実行する。そして、当該電子機器は、受信に失敗した場合、照度閾値を１段階高くし、受信条件を厳しくする。また、所定期間（例えば２４時間）、受信処理が実行されない場合、照度閾値を１段階低くし、受信条件を緩くする。
また、特許文献１の他の実施形態の電子機器は、高照度状態の継続時間が時間閾値以上の場合に受信処理を実行する。そして、当該電子機器は、受信に失敗した場合、時間閾値を１段階長くし、受信条件を厳しくする。また、所定期間、受信処理が実行されない場合、時間閾値を１段階短くし、受信条件を緩くする。
【先行技術文献】
【特許文献】
【０００３】
【特許文献１】特開２０１２−１５００４７号公報
【発明の概要】
【発明が解決しようとする課題】
【０００４】
ここで、例えば、特許文献１の電子機器が、高緯度地域から低緯度地域に移動した場合など、太陽光のエネルギーが大きく異なる地域に移動した場合、適切な照度閾値または時間閾値が、設定されている照度閾値または時間閾値と大きく異なる場合がある。
例えば、適切な照度閾値または時間閾値が、設定されている照度閾値または時間閾値と比べて大きい場合、電子機器を携帯したユーザーが室内における窓際を通過した際などに、電子機器に照射される光によって受信処理が実行され、この結果、受信に失敗する可能性がある。しかしながら、特許文献１の電子機器は、受信に失敗した場合にのみ、照度閾値または時間閾値が１段階ずつ大きい値に変更されるものであるため、少なくとも受信に失敗するまでは、照度閾値または時間閾値を適切な値に変更することができない。このため、受信に失敗することを回避できず、消費電力が増大してしまう可能性がある。
また、特許文献１の電子機器は、所定期間、受信処理が実行されない場合にのみ、照度閾値または時間閾値が１段階ずつ小さい値に変更されるものである。このため、上記の場合とは反対に、適切な照度閾値または時間閾値が、設定されている照度閾値または時間閾値と比べて小さい場合、照度閾値または時間閾値が適切な値になるまで時間がかかり、この結果、受信処理が長期間実行されない可能性がある。
【０００５】
本発明の目的は、受信条件が適切に設定されるまでの間に受信に失敗する可能性を低減でき、かつ、受信条件が適切に設定されるまでの時間を短縮できる電子機器および電子機器の制御方法を提供することにある。
【課題を解決するための手段】
【０００６】
本発明の電子機器は、位置情報衛星から衛星信号を受信する受信部と、照射される光の照度に関する値を検出する照度検出部と、現在地の位置情報に基づいて、照度閾値の値を設定する閾値設定部と、前記照度検出部により検出された値に基づいて、前記照度が前記照度閾値以上か否かを判定し、前記照度が前記照度閾値以上の場合、前記受信部を作動して受信処理を実行する受信制御部と、を備えることを特徴とする。
【０００７】
例えば、電子機器は、発電部としてソーラーセルを備え、照度検出部は、受光部として当該ソーラーセルを備えて構成される。そして、照度検出部は、ソーラーセルに照射される光の照度に関する値を検出する。照度に関する値は、照度と相関関係がある値であり、例えば、ソーラーセルの開放電圧や短絡電流である。
本発明によれば、光が照度検出部の受光部に照射され、照度が閾値設定部によって設定された照度閾値以上の場合、受信制御部は、受信部を作動して受信処理を実行する。
ここで、閾値設定部は、現在地の位置情報に基づいて、照度閾値の値を設定する。例えば、位置情報は緯度や標高であり、閾値設定部は、現在地の緯度や標高に対応した照度値を照度閾値に設定する。
例えば、位置情報が緯度の場合について説明する。太陽光のエネルギーは、緯度に応じて変化する。例えば、低緯度地域における太陽光のエネルギーは、高緯度地域における太陽光のエネルギーよりも大きい。適切な照度閾値は、屋外であると判定できる光の照度の下限値となるため、太陽光のエネルギーが変化すると、適切な照度閾値も変化する。例えば、太陽光のエネルギーが大きいほど、屋内において窓から入射する太陽光のエネルギーも大きくなるため、屋内において受信処理が実行されることを回避するため、照度閾値は高くする必要がある。このため、適切な照度閾値は、緯度に応じて変化する。
本発明によれば、電子機器が緯度の異なる地域に移動した場合、照度閾値に現在地の緯度に対応した値を設定できるため、照度閾値を適切な値に設定できる。
また、これによれば、受信に失敗した場合に照度閾値を高くし、かつ、所定期間（例えば２４時間）、受信処理が実行されない場合に照度閾値を低くすることでのみ、照度閾値を変更する場合と比べて、照度閾値が適切な値に設定されるまでの間に受信に失敗する可能性を低減でき、かつ、照度閾値が適切な値に設定されるまでの時間を短縮できる。
【０００８】
本発明の電子機器は、位置情報衛星から衛星信号を受信する受信部と、照射される光の照度に関する値を検出する照度検出部と、現在の時刻を示す時刻情報に基づいて、照度閾値の値を設定する閾値設定部と、前記照度検出部により検出された値に基づいて、前記照度が前記照度閾値以上か否かを判定し、前記照度が前記照度閾値以上の場合、前記受信部を作動して受信処理を実行する受信制御部と、を備えることを特徴とする。
【０００９】
本発明によれば、光が照度検出部に照射され、照度が閾値設定部によって設定された照度閾値以上の場合、受信制御部は、受信部を作動して受信処理を実行する。
ここで、閾値設定部は、時刻情報に基づいて、照度閾値の値を設定する。例えば、時刻情報は、朝昼晩の時刻や年月日の月であり、閾値設定部は、現在の朝昼晩の時刻や月に対応した照度値を照度閾値に設定する。
例えば、時刻情報が月の場合について説明する。太陽光のエネルギーは、季節に応じて変化する。例えば、夏の太陽光のエネルギーは、冬の太陽光のエネルギーよりも大きい。このため、適切な照度閾値は、季節に応じて変化する。
本発明によれば、照度閾値に現在の月に対応した値を設定できるため、照度閾値を適切な値に設定できる。
また、これによれば、受信に失敗した場合に照度閾値を高くし、かつ、所定期間、受信処理が実行されない場合に照度閾値を低くすることでのみ、照度閾値を変更する場合と比べて、照度閾値が適切な値に設定されるまでの間に受信に失敗する可能性を低減でき、かつ、照度閾値が適切な値に設定されるまでの時間を短縮できる。
【００１０】
本発明の電子機器は、位置情報衛星から衛星信号を受信する受信部と、照射される光の照度に関する値を検出する照度検出部と、現在地の位置情報に基づいて、時間閾値の値を設定する閾値設定部と、前記照度検出部により検出された値に基づいて、前記照度が照度閾値以上となる高照度状態の継続時間が、前記時間閾値以上か否かを判定し、前記高照度状態の継続時間が前記時間閾値以上の場合、前記受信部を作動して受信処理を実行する受信制御部と、を備えることを特徴とする。
【００１１】
本発明によれば、光が照度検出部に照射され、高照度状態の継続時間が閾値設定部によって設定された時間閾値以上の場合、受信制御部は、受信部を作動して受信処理を実行する。
ここで、閾値設定部は、現在地の位置情報に基づいて、時間閾値の値を設定する。例えば、位置情報は緯度や標高であり、閾値設定部は、現在地の緯度や標高に対応した時間値を時間閾値に設定する。
例えば、位置情報が緯度の場合について説明する。太陽光のエネルギーは、緯度に応じて変化する。適切な時間閾値は、屋外であると判定できる時間の下限値となるため、太陽光のエネルギーが変化すると、適切な時間閾値も変化する。例えば、太陽光のエネルギーが大きいほど、屋内における窓際で、照度閾値以上の太陽光が照射される範囲が広くなるため、電子機器を携帯したユーザーが窓際を通過する際などに、電子機器に照度閾値以上の光が照射される時間は長くなる。このため、屋内において受信処理が実行されることを回避するため、時間閾値は長くする必要がある。このため、適切な時間閾値は、緯度に応じて変化する。
本発明によれば、電子機器が緯度の異なる地域に移動した場合、時間閾値に現在地の緯度に対応した値を設定できるため、時間閾値を適切な値に設定できる。
また、これによれば、受信に失敗した場合に時間閾値を長くし、かつ、所定期間、受信処理が実行されない場合に時間閾値を短くすることでのみ、時間閾値を変更する場合と比べて、時間閾値が適切な値に設定されるまでの間に受信に失敗する可能性を低減でき、かつ、時間閾値が適切な値に設定されるまでの時間を短縮できる。
【００１２】
本発明の電子機器は、位置情報衛星から衛星信号を受信する受信部と、照射される光の照度に関する値を検出する照度検出部と、現在の時刻を示す時刻情報に基づいて、時間閾値の値を設定する閾値設定部と、前記照度検出部により検出された値に基づいて、前記照度が照度閾値以上となる高照度状態の継続時間が、前記時間閾値以上か否かを判定し、前記高照度状態の継続時間が前記時間閾値以上の場合、前記受信部を作動して受信処理を実行する受信制御部と、を備えることを特徴とする。
【００１３】
本発明によれば、光が照度検出部に照射され、高照度状態の継続時間が閾値設定部によって設定された時間閾値以上の場合、受信制御部は、受信部を作動して受信処理を実行する。
ここで、閾値設定部は、時刻情報に基づいて、時間閾値の値を設定する。例えば、時刻情報は、朝昼晩の時刻や年月日の月であり、閾値設定部は、現在の朝昼晩の時刻や月に対応した時間値を時間閾値に設定する。
例えば、太陽光のエネルギーは、季節に応じて変化する。このため、適切な時間閾値は、季節に応じて変化する。
本発明によれば、時間閾値に現在の月に対応した値を設定できるため、時間閾値を適切な値に設定できる。
また、これによれば、受信に失敗した場合に時間閾値を長くし、かつ、所定期間、受信処理が実行されない場合に時間閾値を短くすることでのみ、時間閾値を変更する場合と比べて、時間閾値が適切な値に設定されるまでの間に受信に失敗する可能性を低減でき、かつ、時間閾値が適切な値に設定されるまでの時間を短縮できる。
【００１４】
本発明の電子機器は、位置情報衛星から衛星信号を受信する受信部と、照射される光の照度に関する値を検出する照度検出部と、現在の時刻を示す時刻情報および現在地の位置情報に基づいて、照度閾値および時間閾値の値を設定する閾値設定部と、前記照度検出部により検出された値に基づいて、前記照度が前記照度閾値以上となる高照度状態の継続時間が、前記時間閾値以上か否かを判定し、前記高照度状態の継続時間が前記時間閾値以上の場合、前記受信部を作動して受信処理を実行する受信制御部と、を備えることを特徴とする。
【００１５】
本発明によれば、光が照度検出部に照射され、高照度状態の継続時間が時間閾値以上の場合、受信制御部は、受信部を作動して受信処理を実行する。
ここで、閾値設定部は、時刻情報および現在地の位置情報に基づいて、照度閾値および時間閾値の値を設定する。
太陽光のエネルギーは、緯度や季節に応じて変化する。例えば、低緯度地域では、季節に応じた太陽光のエネルギーの変動は小さいが、高緯度地域では、季節に応じた太陽光のエネルギーの変動は大きい。このため、照度閾値および時間閾値は、緯度だけではなく季節も考慮して設定されることが好ましい。このように、適切な照度閾値および時間閾値は、緯度および季節に応じて変化する。
本発明によれば、照度閾値および時間閾値に、現在地の緯度および現在の月に対応した値を設定できるため、照度閾値および時間閾値を適切な値に設定できる。
また、これによれば、受信に失敗した場合に照度閾値および時間閾値を大きくし、かつ、所定期間、受信処理が実行されない場合に照度閾値および時間閾値を小さくすることでのみ、照度閾値および時間閾値を変更する場合と比べて、各閾値が適切な値に設定されるまでの間に受信に失敗する可能性を低減でき、かつ、各閾値が適切な値に設定されるまでの時間を短縮できる。
【００１６】
本発明の電子機器において、前記受信部は、前記衛星信号に基づいて測位演算を実行することで前記位置情報を取得して出力し、前記閾値設定部は、前記受信部から出力された前記位置情報に基づいて、閾値の値を設定することが好ましい。
【００１７】
本発明によれば、受信部が衛星信号を受信し、測位演算を行うことで、現在地の位置情報を取得できるため、例えば、ユーザーが電子機器の操作部を操作して現在地の位置情報を設定する必要がなく、利便性を向上できる。
【００１８】
本発明の電子機器において、前記受信部は、前記衛星信号に基づいて測位演算を実行することで前記位置情報を取得して出力し、前記受信部から出力された前記位置情報を記憶する位置情報記憶部を備え、前記閾値設定部は、前記位置情報記憶部に記憶される前記位置情報が更新された場合、更新された前記位置情報に基づいて、閾値の値を設定することが好ましい。
【００１９】
本発明によれば、受信部が衛星信号を受信し、測位演算を行うことで、現在地の位置情報を取得できるため、例えば、ユーザーが電子機器の操作部を操作して現在地の位置情報を設定する必要がなく、利便性を向上できる。
また、直前に位置情報記憶部の位置情報が更新されてから、電子機器が移動しておらず、受信部から出力された位置情報が、位置情報記憶部に記憶されている位置情報と同じ場合には、閾値の設定を行わないようにできるため、受信部から位置情報が出力される度に必ず前記設定を行う場合と比べて、処理負荷を低減できる。
【００２０】
本発明の電子機器において、都市を示す都市情報を選択する選択操作が行われる操作部と、前記操作部の前記選択操作に応じて前記都市情報を選択し、選択した都市情報に基づいて前記位置情報を設定する位置情報設定部と、を備えることが好ましい。
【００２１】
本発明によれば、ユーザーは、操作部を操作して現在地の都市情報を選択することで、現在地の位置情報を設定できるため、例えば操作部を操作して緯度などの位置情報を直接設定する場合と比べて、位置情報の設定を容易に行うことができる。
【００２２】
本発明は、電子機器の制御方法であって、照射される光の照度に関する値を検出するステップと、現在地の位置情報に基づいて、照度閾値の値を設定するステップと、前記検出するステップにより検出された値に基づいて、前記照度が前記照度閾値以上か否かを判定し、前記照度が前記照度閾値以上の場合、位置情報衛星から衛星信号を受信する受信処理を実行するステップと、を備えることを特徴とする。
【００２３】
本発明によれば、例えば、電子機器が緯度の異なる地域に移動した場合、照度閾値に現在地の緯度に対応した値を設定できるため、照度閾値を適切な値に設定できる。
また、これによれば、受信に失敗した場合に照度閾値を高くし、かつ、所定期間、受信処理が実行されない場合に照度閾値を低くすることでのみ、照度閾値を変更する場合と比べて、照度閾値が適切な値に設定されるまでの間に受信に失敗する可能性を低減でき、かつ、照度閾値が適切な値に設定されるまでの時間を短縮できる。
【００２４】
本発明は、電子機器の制御方法であって、照射される光の照度に関する値を検出するステップと、現在の時刻を示す時刻情報に基づいて、照度閾値の値を設定するステップと、前記検出するステップにより検出された値に基づいて、前記照度が前記照度閾値以上か否かを判定し、前記照度が前記照度閾値以上の場合、位置情報衛星から衛星信号を受信する受信処理を実行するステップと、を備えることを特徴とする。
【００２５】
本発明によれば、例えば、照度閾値に現在の月に対応した値を設定できるため、照度閾値を適切な値に設定できる。
また、これによれば、受信に失敗した場合に照度閾値を高くし、かつ、所定期間、受信処理が実行されない場合に照度閾値を低くすることでのみ、照度閾値を変更する場合と比べて、照度閾値が適切な値に設定されるまでの間に受信に失敗する可能性を低減でき、かつ、照度閾値が適切な値に設定されるまでの時間を短縮できる。
【００２６】
本発明は、電子機器の制御方法であって、照射される光の照度に関する値を検出するステップと、現在地の位置情報に基づいて、時間閾値の値を設定するステップと、前記検出するステップにより検出された値に基づいて、前記照度が照度閾値以上となる高照度状態の継続時間が、前記時間閾値以上か否かを判定し、前記高照度状態の継続時間が前記時間閾値以上の場合、位置情報衛星から衛星信号を受信する受信処理を実行するステップと、を備えることを特徴とする。
【００２７】
本発明によれば、例えば、電子機器が緯度の異なる地域に移動した場合、時間閾値に現在地の緯度に対応した値を設定できるため、時間閾値を適切な値に設定できる。
また、これによれば、受信に失敗した場合に時間閾値を長くし、かつ、所定期間、受信処理が実行されない場合に時間閾値を短くすることでのみ、時間閾値を変更する場合と比べて、時間閾値が適切な値に設定されるまでの間に受信に失敗する可能性を低減でき、かつ、時間閾値が適切な値に設定されるまでの時間を短縮できる。
【００２８】
本発明は、電子機器の制御方法であって、照射される光の照度に関する値を検出するステップと、現在の時刻に基づいて、時間閾値の値を設定するステップと、前記検出するステップにより検出された値に基づいて、前記照度が照度閾値以上となる高照度状態の継続時間が、前記時間閾値以上か否かを判定し、前記高照度状態の継続時間が前記時間閾値以上の場合、位置情報衛星から衛星信号を受信する受信処理を実行するステップと、を備えることを特徴とする。
【００２９】
本発明によれば、例えば、時間閾値に現在の月に対応した値を設定できるため、時間閾値を適切な値に設定できる。
また、これによれば、受信に失敗した場合に時間閾値を長くし、かつ、所定期間、受信処理が実行されない場合に時間閾値を短くすることでのみ、時間閾値を変更する場合と比べて、時間閾値が適切な値に設定されるまでの間に受信に失敗する可能性を低減でき、かつ、時間閾値が適切な値に設定されるまでの時間を短縮できる。
【００３０】
本発明は、電子機器の制御方法であって、照射される光の照度に関する値を検出するステップと、現在の時刻を示す時刻情報および現在地の位置情報に基づいて、照度閾値および時間閾値の値を設定するステップと、前記検出するステップにより検出された値に基づいて、前記照度が前記照度閾値以上となる高照度状態の継続時間が、前記時間閾値以上か否かを判定し、前記高照度状態の継続時間が前記時間閾値以上の場合、位置情報衛星から衛星信号を受信する受信処理を実行するステップと、を備えることを特徴とする。
【００３１】
本発明によれば、例えば、照度閾値および時間閾値に、現在地の緯度や現在の月に対応した値を設定できるため、照度閾値および時間閾値を適切な値に設定できる。
また、これによれば、受信に失敗した場合に照度閾値および時間閾値を大きくし、かつ、所定期間、受信処理が実行されない場合に照度閾値および時間閾値を小さくすることでのみ、照度閾値および時間閾値を変更する場合と比べて、各閾値が適切な値に設定されるまでの間に受信に失敗する可能性を低減でき、かつ、各閾値が適切な値に設定されるまでの時間を短縮できる。
【図面の簡単な説明】
【００３２】
【図１】本発明に係る第１実施形態の電子時計を示す概略図。
【図２】第１実施形態における電子時計の正面図。
【図３】第１実施形態における電子時計の断面図
【図４】第１実施形態における電子時計の回路構成を示すブロック図。
【図５】第１実施形態における記憶装置のデータ構造を示す図。
【図６】第１実施形態における閾値データを示す図。
【図７】第１実施形態における自動受信処理を示すフローチャート。
【図８】充電状態検出、開放電圧検出、受信処理の作動タイミングを説明する図。
【図９】ソーラーセルに当たる光の照度とソーラーセルの開放電圧との関係を示すグラフ。
【図１０】ソーラーセルに当たる光の照度とソーラーセルの短絡電流との関係を示すグラフ。
【図１１】各検出レベルにおけるソーラーセルでの開放電圧およびソーラーセルに当たる光の照度との関係を示す図。
【図１２】判定回数と判定時間との関係を示す図。
【図１３】ソーラーセルに当たる光の照度の推移を示すグラフ。
【図１４Ａ】受信条件（状態１）と受信結果との関係を示す図。
【図１４Ｂ】受信条件（状態２）と受信結果との関係を示す図。
【図１４Ｃ】受信条件（状態３）と受信結果との関係を示す図。
【図１５】本発明に係る第２実施形態の閾値データを示す図。
【図１６】本発明に係る第３実施形態の閾値データを示す図。
【発明を実施するための形態】
【００３３】
以下、本発明の具体的な実施形態を図面に基づいて説明する。
［第１実施形態］
図１は、本実施形態の電子時計１を示す概略図である。
電子機器としての電子時計１は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を算出して取得するように構成されている。なお、ＧＰＳ衛星１００は、位置情報衛星の一例であり、地球の上空に複数存在している。現在は約３０個のＧＰＳ衛星１００が周回している。
【００３４】
［電子時計の概略構成］
図２は、電子時計１の正面図であり、図３は、電子時計１の概略を示す断面図である。
電子時計１は、図２および図３に示すように、外装ケース３０と、カバーガラス３３と、裏蓋３４とを備えている。外装ケース３０は、金属で形成された円筒状のケース３１に、セラミックで形成されたベゼル３２が嵌合されて構成されている。このベゼル３２の内周側に、プラスチックで形成されたリング状のダイヤルリング３５を介して、円盤状の文字板１１が時刻表示部分として配置されている。
外装ケース３０の側面には、文字板１１の中心より、２時方向の位置にＡボタン２と、４時方向の位置にＢボタン３と、３時方向の位置にリューズ４とが設けられている。ここで、Ａボタン２、Ｂボタン３、リューズ４は、本発明の操作部の一例である。
【００３５】
電子時計１は、図３に示すように、金属製のケース３１の二つの開口のうち、表面側の開口は、ベゼル３２を介してカバーガラス３３で塞がれており、裏面側の開口は金属で形成された裏蓋３４で塞がれている。
外装ケース３０の内側には、ベゼル３２の内周に取り付けられているダイヤルリング３５と、光透過性の文字板１１と、指針２１，２２，２３，２４，２５，２６，２７，２８と、カレンダー車２０と、各指針およびカレンダー車２０を駆動する駆動機構１４０などが備えられている。
【００３６】
ダイヤルリング３５は、外周端が、ベゼル３２の内周面に接触しているとともに、一面がカバーガラス３３と並行している平板部分と、内周端が文字板１１に接触するように、文字板１１側へ傾斜した傾斜部分を備えている。ダイヤルリング３５は、平面視においてはリング形状となっており、断面視においてはすり鉢形状となっている。ダイヤルリング３５の平板部分と、傾斜部分と、ベゼル３２の内周面とによりドーナツ形状の収納空間が形成されており、この収納空間内には、リング状のアンテナ体１１０が収納されている。
【００３７】
文字板１１は、外装ケース３０の内側で時刻を表示する円形の板材であり、プラスチックなどの光透過性の材料で形成され、カバーガラス３３との間に指針２１〜２８などを備え、ダイヤルリング３５の内側に配置されている。
文字板１１と、駆動機構１４０が取り付けられている地板１２５との間には、光発電を行うソーラーセル１３５が備えられている。ソーラーセル１３５は、光エネルギーを電気エネルギーに変換する複数の光発電素子を直列接続した円形の平板である。文字板１１、ソーラーセル１３５、地板１２５には、指針２１〜２３の指針軸２９と、指針２４〜２８の図示しない指針軸とが貫通する穴が形成されている。また、文字板１１およびソーラーセル１３５には、カレンダー小窓１５の開口部が形成されている。
【００３８】
駆動機構１４０は、地板１２５に取り付けられ、回路基板１２０で裏面側から覆われている。駆動機構１４０は、ステップモーターと歯車などの輪列とを有し、当該ステップモーターが当該輪列を介して指針軸２９等を回転させることにより各指針を駆動する。
駆動機構１４０は、具体的には、第１〜第６駆動機構を備える。第１駆動機構は指針２２および指針２３を駆動し、第２駆動機構は指針２１を駆動し、第３駆動機構は指針２４を駆動し、第４駆動機構は指針２５を駆動し、第５駆動機構は指針２６〜２８を駆動し、第６駆動機構はカレンダー車２０を駆動する。
【００３９】
回路基板１２０は、ＧＰＳ受信回路４５、制御回路５０、記憶装置６０を備えている。また、この回路基板１２０とアンテナ体１１０とは、アンテナ接続ピン１１５を用い接続されている。ＧＰＳ受信回路４５、制御回路５０、記憶装置６０が設けられた回路基板１２０の裏蓋３４側には、これらの回路部品を覆うための回路押さえ１２２が設けられている。また、リチウムイオン電池などの二次電池１３０が、地板１２５と裏蓋３４との間に設けられている。二次電池１３０は、ソーラーセル１３５が発電した電力で充電される。
【００４０】
［電子時計の表示機構］
文字板１１の外周部を囲むダイヤルリング３５の内周側には、図２に示すように、内周を６０分割にする目盛が表記されている。この目盛を用いて、指針２１は通常時に第１時刻の「秒」を表示し、指針２２は第１時刻の「分」を表示し、指針２３は第１時刻の「時」を表示する。なお、第１時刻の「秒」は、後述する第２時刻の「秒」と同じため、ユーザーは、指針２１を確認することで、第２時刻の「秒」も把握できる。
また、ダイヤルリング３５には、１２分位置にアルファベットの「Ｙ」と、１８分位置にアルファベットの「Ｎ」の英字が表記されている。この英字は、ＧＰＳ衛星１００から受信した衛星信号に基づく各種情報の受信（取得）結果（Ｙ：受信（取得）成功、Ｎ：受信（取得）失敗）を示す。指針２１は、「Ｙ」および「Ｎ」のいずれか一方を指示し、衛星信号の受信結果を表示する。なお、受信結果の表示は、Ａボタン２を３秒未満押すことで行われる。
【００４１】
指針２４は、文字板１１の中心から２時方向の位置に設けられている。指針２４の回転領域の外周には、七曜を示す、「Ｓ」、「Ｍ」、「Ｔ」、「Ｗ」、「Ｔ」、「Ｆ」、「Ｓ」の英字が表記されている。指針２４は、「Ｓ」〜「Ｓ」のいずれかを指示することで曜日を表示する。
【００４２】
指針２５は、文字板１１の中心から１０時方向の位置に設けられている。以下、指針２５の回転領域の外周の表記について説明するが、「ｎ時方向」（ｎは任意の自然数）とあるのは、指針２５の指針軸から回転領域の外周をみたときの方向である。
指針２５の回転領域の６時方向から７時方向の範囲の外周には、「ＤＳＴ」の英字と「○」の記号が表記されている。ＤＳＴ（daylight saving time）は夏時間を意味する。指針２５は、これらの英字と記号を指示することで、夏時間（ＤＳＴ：夏時間ＯＮ、○：夏時間ＯＦＦ）の設定を表示する。
【００４３】
指針２５の回転領域の８時方向から９時方向までの範囲の外周には、円周に沿って、９時方向の基端が太く、８時方向の先端が細い三日月鎌状の記号１２が表記されている。この記号１２は二次電池１３０（図３参照）のパワーインジケーターであり、電池残量に応じた位置を指針２５が指示することで電池残量が表示される。なお、指針２５は、通常時、記号１２を指示している。
【００４４】
指針２５の回転領域の１０時方向の外周には、飛行機形状の記号１３が表記されている。この記号は、機内モードを表す。航空機の離着陸時は、航空法によって衛星信号の受信が禁止されている。指針２５は、記号１３を指示することで、機内モードに設定され、受信が行われないことを表示する。
【００４５】
指針２５の回転領域の１１時方向から１２時方向までの範囲の外周には、「１」の数字と「４＋」の記号が表記されている。これらの数字と記号は、衛星信号の受信モードを表す。「１」は時刻情報を受信し内部時刻が修正されること（測時モード）を、「４＋」は時刻情報と軌道情報とを受信し、現在位置である位置情報を算出し、内部時刻と後述するタイムゾーンデータとが修正されること（測位モード）を意味する。
【００４６】
指針２６，２７は、文字板１１の中心から６時方向の位置に設けられている。指針２６は、第２時刻の「分」を表示し、指針２７は、第２時刻の「時」を表示する。
指針２８は、文字板１１の中心から４時方向の位置に設けられ、第２時刻の午前および午後を表示する。
カレンダー小窓１５は、文字板１１を矩形状に開口した開口部に設けられており、開口部からカレンダー車２０に印刷された数字が視認可能となっている。この数字は、年月日の「日」を表す。
【００４７】
またダイヤルリング３５には、内周側の目盛に沿って、協定世界時（ＵＴＣ）との時差を表す時差情報３７が、数字と数字以外の記号とで表記されている。数字の時差情報３７は整数の時差であり、記号の時差情報３７は整数以外の時差であることを表している。指針２１〜２３で表示された第１時刻と、ＵＴＣとの時差は、Ｂボタン３を押すことにより指針２１が指し示す時差情報３７で確認することができる。
また、ダイヤルリング３５の周囲に設けられているベゼル３２には、ダイヤルリング３５に表記されている時差情報３７の時差に対応した標準時を使用しているタイムゾーンの代表都市名を表す都市情報３６が、時差情報３７に併記されている。
【００４８】
［電子時計の回路構成］
図４は、電子時計１の回路構成を示すブロック図である。この図に示すように、電子時計１は、ソーラーセル１３５と、二次電池１３０と、ＧＰＳ受信回路４５と、計時装置４６と、記憶装置６０と、入力装置４７と、制御回路５０と、ダイオード４１と、充電制御用スイッチ４２と、充電状態検出回路４３と、電圧検出回路４４とを備えている。なお、ソーラーセル１３５、充電状態検出回路４３、電圧検出回路４４からなる構成は、本発明の照度検出部の一例である。
【００４９】
ダイオード４１は、ソーラーセル１３５と二次電池１３０とを電気的に接続する経路に設けられ、ソーラーセル１３５から二次電池１３０への電流（順方向電流）を遮断せずに、二次電池１３０からソーラーセル１３５への電流（逆方向電流）を遮断する。なお、順方向電流が流れるのは、二次電池１３０の電圧よりもソーラーセル１３５の電圧が高い場合、すなわち充電時に限られる。また、ダイオード４１に代えて電界効果トランジスター（ＦＥＴ）を採用してもよい。
【００５０】
充電制御用スイッチ４２は、ソーラーセル１３５から二次電池１３０への電流の経路を接続および切断するものであり、ソーラーセル１３５と二次電池１３０とを電気的に接続する経路に設けられたスイッチング素子４２１を備えている。スイッチング素子４２１がオフ状態からオン状態に遷移するとオン（接続）し、スイッチング素子４２１がオン状態からオフ状態へ遷移するとオフ（切断）する。
例えば、過充電により電池特性が劣化する状態にならないよう、二次電池１３０の電池電圧が所定値以上となる場合には、制御回路５０から出力される２値の制御信号ＣＴＬ３に基づいて、充電制御用スイッチ４２をオフする。なお、この場合、後述する電圧検出回路４４は、制御回路５０から出力される制御信号ＣＴＬ２に基づいて動作が停止されている。
【００５１】
スイッチング素子４２１は、ｐチャネル型のトランジスターであり、ゲート電圧Ｖｇ１がローレベルの場合にはオン状態となり、ハイレベルの場合にはオフ状態となる。ゲート電圧Ｖｇ１は、制御回路５０により制御される。
【００５２】
充電状態検出回路４３は、制御回路５０から出力される充電状態の検出タイミングを指定する２値の制御信号ＣＴＬ１に基づいて作動し、ソーラーセル１３５から二次電池１３０への充電の状態（充電状態）を検出し、検出結果ＲＳ１を制御回路５０へ出力する。充電状態は「充電中」または「非充電中」であり、その検出は電池電圧ＶＣＣと充電制御用スイッチ４２がオンのときのソーラーセル１３５のＰＶＩＮとに基づいて行われる。例えば、ダイオード４１の降下電圧をＶｔｈとし、スイッチング素子４２１のオン抵抗を無視したとき、ＰＶＩＮ−Ｖｔｈ＞ＶＣＣの場合には「充電中」と判定し、ＰＶＩＮ−Ｖｔｈ≦ＶＣＣの場合には「非充電中」と判定することができる。
【００５３】
本実施形態では、制御信号ＣＴＬ１は、周期が１秒のパルス信号であり、充電状態検出回路４３は、制御信号ＣＴＬ１がハイレベルの期間において充電状態の検出を行う。つまり、充電状態検出回路４３は、充電制御用スイッチ４２を接続状態に維持したまま、充電状態の検出を１秒周期で繰り返し行う。
【００５４】
なお、充電状態の検出を間欠的に行うのは、充電状態検出回路４３の消費電力量を低減するためである。この低減が不要であれば、充電状態が連続的に検出されるようにしてもよい。充電状態検出回路４３は、例えば、コンパレーター、Ａ／Ｄコンバーター等を用いて構成することができる。
【００５５】
電圧検出回路４４は、制御回路５０から出力される電圧の検出タイミングを指定する２値の制御信号ＣＴＬ２に基づいて作動し、ソーラーセル１３５の端子電圧ＰＶＩＮ、すなわちソーラーセル１３５の開放電圧を検出する。なお、電圧検出回路４４が開放電圧を検出している期間、制御回路５０から出力される制御信号ＣＴＬ３に基づいて、充電制御用スイッチ４２はオフとされている。また、電圧検出回路４４は、開放電圧の検出結果ＲＳ２を制御回路５０へ出力する。
【００５６】
受信部としてのＧＰＳ受信回路４５は、アンテナ体１１０に接続され、アンテナ体１１０を介して受信した衛星信号を処理して時刻情報や位置情報を取得する。
そして、ＧＰＳ受信回路４５は、図示を略すが、通常のＧＰＳ装置と同様に、ＧＰＳ衛星１００から送信される衛星信号を受信してデジタル信号に変換するＲＦ（Radio Frequency）部と、受信信号の相関判定を実行して航法メッセージを復調するＢＢ部（ベースバンド部）と、ＢＢ部で復調された航法メッセージ（衛星信号）から時刻情報や位置情報（測位情報）を取得して出力する情報取得手段とを備えている。
【００５７】
入力装置４７は、図２に示すＡボタン２、Ｂボタン３、リューズ４を備えて構成され、各ボタン２，３の押し離しや、リューズ４の引き出し、押し込みに基づいて、各種処理の実行を指示する操作を検出し、検出した操作に応じた操作信号を制御回路５０に出力する。
【００５８】
計時装置４６は、二次電池１３０に蓄積された電力で駆動される水晶振動子等を備え、水晶振動子の発振信号に基づく基準信号を用いて時刻データを更新する。
【００５９】
記憶装置６０は、図５に示すように、時刻データ記憶部６１０と、タイムゾーンデータ記憶部６２０と、位置情報記憶部６３０と、閾値記憶部６４０とを備えている。
時刻データ記憶部６１０には、受信時刻データ６１１と、閏秒更新データ６１２と、内部時刻データ６１３と、第１表示用時刻データ６１４と、第２表示用時刻データ６１５と、第１タイムゾーンデータ６１６と、第２タイムゾーンデータ６１７とが記憶される。
受信時刻データ６１１には、衛星信号から取得した時刻情報（ＧＰＳ時刻）が記憶される。この受信時刻データ６１１は、通常は計時装置４６によって１秒毎に更新され、衛星信号を受信した際には、取得した時刻情報（ＧＰＳ時刻）が記憶される。
閏秒更新データ６１２には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ６１２に記憶している。
【００６０】
内部時刻データ６１３には、内部時刻情報が記憶される。この内部時刻情報は、受信時刻データ６１１に記憶されたＧＰＳ時刻と、閏秒更新データ６１２に記憶している「現在の閏秒」とによって更新される。すなわち、内部時刻データ６１３には、ＵＴＣ（協定世界時）が記憶されることになる。受信時刻データ６１１が計時装置４６で更新される際に、この内部時刻情報も更新される。
【００６１】
第１表示用時刻データ６１４には、内部時刻データ６１３の内部時刻情報に、第１タイムゾーンデータ６１６のタイムゾーンデータ（時差情報）を加味した時刻情報が記憶される。第１タイムゾーンデータ６１６は、ユーザーが手動で選択した場合や測位モードで受信した場合に得られるタイムゾーンデータで設定される。ここで、第１表示用時刻データ６１４の時刻情報は、指針２１〜２３によって表示される第１時刻に相当する。
第２表示用時刻データ６１５には、内部時刻データ６１３の内部時刻情報に、第２タイムゾーンデータ６１７のタイムゾーンデータを加味した時刻情報が記憶される。第２タイムゾーンデータ６１７は、ユーザーが手動で選択した場合に得られるタイムゾーンデータで設定される。ここで、第２表示用時刻データ６１５の時刻情報は、指針２１，２６〜２８によって表示される第２時刻に相当する。
【００６２】
タイムゾーンデータ記憶部６２０は、位置情報（緯度、経度）とタイムゾーンデータ（時差情報）とを関連付けて記憶している。このため、測位モードで位置情報を取得した場合、制御回路５０は、その位置情報（緯度、経度）に基づいてタイムゾーンデータを取得できるようにされている。
【００６３】
なお、タイムゾーンデータ記憶部６２０は、さらに、都市名とタイムゾーンデータとを関連付けて記憶している。したがって、ユーザーがリューズ４の操作によって、現地時刻を知りたい都市名を選択すると、制御回路５０は、タイムゾーンデータ記憶部６２０に対してユーザーが設定した都市名を検索し、その都市名に対応するタイムゾーンデータを取得して、第１タイムゾーンデータ６１６、または、第２タイムゾーンデータ６１７に設定する。
【００６４】
位置情報記憶部６３０には、現在地の位置情報が記憶される。具体的には、ＧＰＳ受信回路４５が衛星信号を受信し、衛星信号に基づいて測位演算を実行することで取得した緯度や、リューズ４の操作に応じて選択された都市の緯度が位置情報として記憶される。
【００６５】
閾値記憶部６４０には、閾値データが記憶されている。
閾値データには、図６に示すように、緯度と、閾レベルおよび閾回数とが、対応付けられて記憶されている。
図６の例では、閾値データには、北半球の緯度として、２６°、５０°、７０°が記憶され、南半球の緯度として、−２６°、−５０°、−７０°が記憶されている。
閾レベルおよび閾回数は、制御回路５０が自動受信処理を実行する受信条件を決めるものであり、詳しくは後述するが、制御回路５０は、電圧検出回路４４で検出されたソーラーセル１３５の開放電圧の検出レベルが、閾回数連続して閾レベル以上となった場合、ＧＰＳ受信回路４５を作動して自動受信処理を実行する。
図６に示すように、緯度が低くなるほど、対応する閾レベルは高くなり、対応する閾回数は多くなっている。
【００６６】
制御回路５０は、電子時計１を制御するＣＰＵで構成されている。制御回路５０は、記憶装置６０に格納された各種プログラムを実行することで、自動受信制御部５１、手動受信制御部５２、タイムゾーン設定部５３、時刻修正部５４、閾値設定部５５、位置情報設定部５６として機能する。
自動受信制御部５１は、受信を実行する条件である受信条件に該当すると、ＧＰＳ受信回路４５を作動して測時モードでの受信処理を実行する（自動受信処理）。ここで、自動受信制御部５１は、本発明の受信制御部の一例である。なお、自動受信処理の詳細については後述する。
手動受信制御部５２は、入力装置４７の出力信号に基づいて、Ａボタン２が３秒以上６秒未満押されたことを検出すると、ＧＰＳ受信回路４５を作動して測時モードでの受信処理を実行する（測時モードでの手動受信処理）。また、Ａボタン２が６秒以上押されたことを検出すると、ＧＰＳ受信回路４５を作動して測位モードでの受信処理を実行する（測位モードでの手動受信処理）。
【００６７】
測時モードでの受信処理が実行されると、ＧＰＳ受信回路４５は、少なくとも１つのＧＰＳ衛星１００を捕捉し、そのＧＰＳ衛星１００から送信される衛星信号を受信して時刻情報を取得する。
測位モードでの受信処理が実行されると、ＧＰＳ受信回路４５は、少なくとも３個、好ましくは４個以上のＧＰＳ衛星１００を捕捉し、各ＧＰＳ衛星１００から送信される衛星信号を受信して位置情報を算出して取得する。また、ＧＰＳ受信回路４５は、衛星信号を受信した際に時刻情報も同時に取得できる。
【００６８】
タイムゾーン設定部５３は、測位モードでの受信処理で位置情報の取得に成功した場合、取得された位置情報（緯度、経度）に基づいてタイムゾーンデータを設定する。具体的には、タイムゾーンデータ記憶部６２０から位置情報に対応するタイムゾーンデータ（タイムゾーン情報つまり時差情報）を選択して取得し、第１タイムゾーンデータ６１６に記憶させる。
例えば、日本標準時（ＪＳＴ）は、ＵＴＣに対して９時間進めた時刻（ＵＴＣ＋９）であるため、取得した位置情報が日本である場合には、タイムゾーン設定部５３は、タイムゾーンデータ記憶部６２０から日本標準時の時差情報（＋９時間）を読み出して第１タイムゾーンデータ６１６に記憶する。
また、タイムゾーン設定部５３は、操作部の操作により、時差情報３７または都市情報３６のいずれかが選択された場合、選択された時差情報３７または都市情報３６に対応するタイムゾーンデータを、第１タイムゾーンデータ６１６または第２タイムゾーンデータ６１７に記憶させる。
【００６９】
時刻修正部５４は、測時モードや測位モードでの受信処理で時刻情報の取得に成功した場合、取得された時刻情報を受信時刻データ６１１に記憶する。これにより、内部時刻データ６１３、第１表示用時刻データ６１４、第２表示用時刻データ６１５が修正される。
また、時刻修正部５４は、第１表示用時刻データ６１４を、第１タイムゾーンデータ６１６を用いて修正し、第２表示用時刻データ６１５を、第２タイムゾーンデータ６１７を用いて修正する。このため、第１表示用時刻データ６１４および第２表示用時刻データ６１５は、ＵＴＣである内部時刻データ６１３に各タイムゾーンデータを加算した時刻となる。
【００７０】
閾値設定部５５は、自動受信処理が実行される受信条件を決定する閾レベルおよび閾回数を、位置情報記憶部６３０に記憶された位置情報に基づいて設定する。なお、閾レベルおよび閾回数の設定方法の詳細については後述する。
【００７１】
位置情報設定部５６は、ＧＰＳ受信回路４５が測位モードでの受信処理を実行し、位置情報の取得に成功した場合、当該位置情報の緯度を、位置情報記憶部６３０に上書きして記憶させる。なお、ＧＰＳ受信回路４５が取得した位置情報の緯度が、位置情報記憶部６３０に記憶されている緯度と同じ場合には、位置情報記憶部６３０を更新しない。
また、ユーザーが、リューズ４を操作して、指針２１に都市情報３６を指示させることで都市情報を選択する選択操作を行うと、位置情報設定部５６は、当該選択操作に応じて都市情報を選択し、選択した都市情報に対応した緯度を取得する。そして、取得した緯度を、位置情報記憶部６３０に上書きして記憶させる。
【００７２】
［自動受信処理］
次に、電子時計１が実行する自動受信処理について、図７のフローチャートに基づき説明する。
制御回路５０は、毎日０時０分０秒に制御を始める。まず、自動受信制御部５１は、一定周期で充電状態検出回路４３を作動する（ＳＡ１）。本実施形態では、図８に示すように、制御回路５０は、１秒間隔の制御信号ＣＴＬ１を出力し、充電状態検出回路４３を作動している。制御信号ＣＴＬ１が入力されると、充電状態検出回路４３は、充電状態であるか否かを示す検出結果ＲＳ１を制御回路５０に出力する。このため、自動受信制御部５１は、充電中であるか否かを判定する（ＳＡ２）。なお、充電制御用スイッチ４２は、後述するように、電圧検出回路４４が作動されるタイミングのみオフに切り替えられる。
【００７３】
［非充電状態での制御］
電子時計１に当たる光が暗く、ソーラーセル１３５で発電が行われていない場合、充電状態検出回路４３は「非充電中」の検出結果ＲＳ１を制御回路５０に出力する。この場合、自動受信制御部５１は、充電中ではない（ＳＡ２：Ｎｏ）と判定し、制御回路５０からはローレベルの制御信号ＣＴＬ２を出力する。
従って、ＳＡ２でＮｏと判定された場合、自動受信制御部５１は、電子時計１が屋外に配置されておらず、衛星信号の受信に適した場所に配置されていない可能性が高いと判断できる。
【００７４】
［充電状態での制御］
一方、自動受信制御部５１は、ＳＡ２で充電状態である（ＳＡ２：Ｙｅｓ）と判定された場合、電圧検出回路４４を作動する（ＳＡ３）。この際、充電制御用スイッチ４２は、自動受信制御部５１によってオフ状態に切り替えられる。すなわち、自動受信制御部５１は、充電状態検出回路４３で充電中であることを検出すると、１秒間隔の制御信号ＣＴＬ２を出力し、電圧検出回路４４を作動する。この際、充電制御用スイッチ４２は、制御回路５０からの制御信号ＣＴＬ３によってオフ状態に制御されるので、ソーラーセル１３５および電圧検出回路４４は、二次電池１３０とは切り離される。このため、電圧検出回路４４は、二次電池１３０の充電電圧の影響を受けることなく、ソーラーセル１３５に当たる光の照度に対応する開放電圧を検出できる。
なお、充電制御用スイッチ４２がオフ状態では充電状態検出回路４３によって充電状態を検出できない。このため、自動受信制御部５１は、充電状態検出回路４３に対する制御信号ＣＴＬ１の出力タイミングと、電圧検出回路４４に対する制御信号ＣＴＬ２の出力タイミングとが一致しないように、制御信号ＣＴＬ１と制御信号ＣＴＬ２の出力タイミングをずらしている。
【００７５】
本実施形態では、電圧検出回路４４で検出される開放電圧は、図９に示すように、ソーラーセル１３５における照度が高くなるほど高くなる。
また、ソーラーセル１３５の開放電圧の代わりにソーラーセル１３５の短絡電流を、ソーラーセル１３５に当たる光の照度に対応する値として検出する構成を用いてもよい。すなわち、図１０に示すように、ソーラーセル１３５における照度が高くなるほど高くなる短絡電流が検出される構成を適用してもよい。なお、短絡電流を検出する構成においても、開放電圧を検出する構成と同様に、充電制御用スイッチ４２をオフにしてソーラーセル１３５と二次電池１３０とを電気的に切断することで、二次電池１３０の影響を受けないようにする必要がある。
このような開放電圧および短絡電流は、ソーラーセル１３５における出力値と相関関係がある。そこで、本実施形態では、検出値として開放電圧や短絡電流を検出している。すなわち、この開放電圧や短絡電流は、本発明の照度に関する値の一例である。
【００７６】
自動受信制御部５１は、電圧検出回路４４から出力される検出結果ＲＳ２により、開放電圧に対応する検出レベルを判定する（ＳＡ４）。本実施形態では、自動受信制御部５１は検出レベルを図１１に示す関係に基づいて判定する。なお、図１１における開放電圧と照度は、各検出レベルにおける下限値を表したものである。例えば、自動受信制御部５１は、開放電圧が５．６Ｖ以上５．８Ｖ未満の場合、検出レベルが「７」であり、５．９Ｖ以上６．２Ｖ未満の場合、検出レベルが「９」であると判定する。
【００７７】
次に、図７に示すように、自動受信制御部５１は、ＳＡ４で得られた検出レベルが、１秒間隔での電圧検出に基づいて、閾回数以上連続して閾レベル以上であるか否かを判定する（ＳＡ５）。閾レベルおよび閾回数は、詳しくは後述するが、複数段階に設定可能であり、閾値設定部５５によって予め設定されている。
【００７８】
検出レベルとソーラーセル１３５に当たる光の照度との関係は、図１１に示すように相関関係があるため、検出レベルが閾レベル以上であるか否かを判定することで、ソーラーセル１３５に当たる光の照度が照度閾値以上である高照度状態であるか否かを判定できる。例えば、閾レベルが「４」に設定されている場合、検出レベルが閾レベル以上であるか否かを判定することで、ソーラーセル１３５に当たる光の照度が３０００ルクス以上であるか否かを判定できる。
なお、検出レベルとソーラーセル１３５に当たる光の照度との関係は、図１１に示す関係に限定されず、適宜設定することができる。
【００７９】
電圧検出に基づく判定回数と、判定時間とは、図１２に示す関係にある。なお、図１２の関係は、１秒間隔で開放電圧を検出した場合を示している。例えば、判定回数が「２」の場合、判定時間は２秒である。このため、検出レベルが、閾回数以上連続して閾レベル以上であるか否かを判定することで、高照度状態の継続時間が時間閾値以上であるか否かを判定できる。
なお、判定回数と判定時間との関係は、図１２に示す関係に限定されず、電圧検出の間隔に応じて変化する。例えば、２秒間隔で開放電圧を検出した場合には、判定回数が「２」であれば判定時間は４秒となる。
【００８０】
ＳＡ２またはＳＡ５でＮｏと判定された場合には、自動受信制御部５１は、現在の時刻が、制御回路５０が制御を始めた日の２３時５９分５９秒か否か判定する（ＳＡ６）。ＳＡ６でＮｏと判定された場合は、自動受信制御部５１は、ＳＡ１に戻り、一定周期で充電状態検出回路４３を作動する。
【００８１】
一方で、ＳＡ６でＹｅｓと判定された場合は、閾値設定部５５は、閾レベルを１レベル低くなるように設定し直す（ＳＡ７）。すなわち、照度閾値を１レベル低い値に変更する。そして、制御回路５０は、処理を終了し、次に処理が開始される制御再開時間まで待機状態に移行する。ここで、制御再開時間は１秒後の０時０分０秒である。このように検出レベルが、閾回数以上連続して閾レベル以上となる状態が、所定期間発生しない場合には、閾レベルを１レベル低くなるように設定し直すことで、検出レベルが閾レベル以上となり易くなる。このように、ＧＰＳ受信回路４５を作動させる条件をより緩くしたため、ＧＰＳ受信回路４５を作動させる機会を設けることができる。
【００８２】
一方で、ＳＡ５でＹｅｓと判定された場合には、自動受信制御部５１は、電子時計１が屋外に配置され、受信に適した環境にあると判断し、ＧＰＳ受信回路４５を作動してＧＰＳ衛星１００から衛星信号を受信する受信処理を開始する（ＳＡ８）。
自動受信処理では、測時モードでの受信処理が行われる。すなわち、測位モードでは、位置を検出するために３個以上のＧＰＳ衛星１００から信号を受信しなければならず、受信処理時間も長くなる。このため、信号受信が終了するまで電子時計１を屋外に配置しておくことが好ましいが、自動受信処理ではユーザーが受信中であることに気がつかず、受信中であっても屋内に移動してしまうおそれもある。このため、測位モードでの受信は、ユーザーが意図して受信操作を行った場合のみ、つまり手動受信処理時のみ行うことが好ましい。
一方、測時モードでは、１つのＧＰＳ衛星１００からの信号受信でも時刻情報を取得でき、受信処理時間も短くできる。従って、ユーザーが意図しなくても、受信処理を実行することができ、自動受信処理に適している。
【００８３】
次に、閾値設定部５５は、ＳＡ８で開始される受信処理により受信に成功したか否かを判定する（ＳＡ９）。
なお、ＧＰＳ受信回路４５では、まず、ＧＰＳ衛星１００の検索を行い、ＧＰＳ受信回路４５で衛星信号を検出する。そして、衛星信号を検出した場合（ＧＰＳ衛星１００を捕捉した場合）には、引き続き衛星信号の受信を継続し、時刻情報を受信する。このように時刻情報を受信できた場合には、受信に成功したと判定する。それ以外の場合、すなわち、ＧＰＳ受信回路４５で衛星信号が検出されない場合や、時刻情報を受信できなかった場合には、受信に失敗したと判定する。
そして、受信に成功した（ＳＡ９：Ｙｅｓ）と判定された場合には、制御回路５０は、処理を終了し、制御再開時間である翌日の０時０分０秒まで待機状態に移行する。
【００８４】
一方で、受信に失敗した（ＳＡ９：Ｎｏ）と判定された場合には、閾値設定部５５は、閾レベルを１レベル高くなるように設定し直す（ＳＡ１０）。すなわち、照度閾値を１レベル高い値に変更する。そして、制御回路５０は、処理を終了し、制御再開時間まで待機状態に移行する。このようにすれば、翌日の０時０分０秒からＳＡ１の処理を再開する場合に、閾レベルが１レベル高くなることで、検出レベルが閾レベル以上となりにくくなる。このように、受信に失敗した場合に、ＧＰＳ受信回路４５を作動させる条件をより厳しくすることにより、衛星信号の受信に適した環境でＧＰＳ受信回路４５を作動させることができる。
【００８５】
［閾値設定処理］
次に、電子時計１が実行する閾値設定処理について説明する。
電子時計１によれば、ユーザーが、例えば、緯度が異なる地域に移動した場合などに、電子時計１の操作部を操作して、測位モードでの手動受信処理を実行させたり、都市情報を選択したりすることで、位置情報記憶部６３０に、現在地の緯度を記憶させておくことができる。
そして、閾値設定部５５は、位置情報記憶部６３０の位置情報が更新された場合や、例えば２日に１回などの予め設定された閾値設定タイミングになると、位置情報記憶部６３０から位置情報である緯度を読み出す。
【００８６】
そして、閾値設定部５５は、読み出した緯度と、閾値記憶部６４０に記憶された緯度と閾値レベルおよび閾回数との関係に基づいて、閾値レベルおよび閾回数を設定する。
具体的には、閾値設定部５５は、閾値記憶部６４０に記憶されている緯度のうち、位置情報記憶部６３０から読み出した緯度と最も近い緯度を判定する。そして、判定した緯度に対応付けられた閾レベルおよび閾回数を、閾レベルおよび閾回数に設定する。
例えば、図６の例では、閾値設定部５５は、読み出した緯度が例えば３５°である場合、３５°と最も近い緯度である２６°に対応付けられた閾レベル「４」および閾回数「４」を、閾レベルおよび閾回数に設定する。
このような閾値設定処理によれば、閾レベルおよび閾回数を現在地の緯度に対応した値に設定できる。
【００８７】
ここで、太陽光のエネルギーは、緯度に応じて変化する。例えば、低緯度地域における太陽光のエネルギーは、高緯度地域における太陽光のエネルギーよりも大きい。
適切な閾レベルは、屋外であると判定できる検出レベルの下限値となるため、太陽光のエネルギーが変化すると、適切な閾レベルも変化する。例えば、太陽光のエネルギーが大きいほど、屋内において窓から入射する太陽光のエネルギーも大きくなるため、屋内において受信処理が実行されることを回避するため、閾レベルは高くする必要がある。このため、適切な閾レベルは、緯度に応じて変化する。
電子時計１によれば、電子時計１が緯度の異なる地域に移動した場合、上記の閾値設定処理により、閾レベルを現在地の緯度に対応した値に設定できるため、閾レベルを適切な値に設定できる。
【００８８】
また、適切な閾回数も、緯度に応じて変化する。
図１３は、屋内において、電子時計１を携帯したユーザーが窓際（窓から約１ｍ程離れた位置）を通過した際に、ソーラーセル１３５に照射される光の照度の推移の一例を示したグラフである。
低緯度地域では、高緯度地域よりも太陽光のエネルギーが大きいため、屋内における窓際では、照度閾値以上の太陽光が照射される範囲が広くなる。このため、図１３に示すように、電子時計１を携帯したユーザーが窓際を通過した際に、ソーラーセル１３５に照度閾値（例えば３０００ルクス）以上の光が照射される時間は、高緯度地域よりも、低緯度地域の方が長くなる。すなわち、高照度状態が検出される回数は、高緯度の地域よりも、低緯度の地域の方が多くなる。
電子時計１によれば、電子時計１が緯度の異なる地域に移動した場合、閾回数を現在地の緯度に対応した値に設定できるため、閾回数を適切な値に設定できる。
【００８９】
ここで、図１３の例において、例えば、照度閾値が４０００ルクスに設定され、時間閾値が１０秒に設定されている場合（状態１）の受信結果について説明する。
図１４Ａは、状態１の受信結果を示す図である。なお、図１４Ａ〜１４Ｃにおいて、「○」は受信成功（閾値が適切）を示し、「×」は受信失敗（閾値が不適切）を示し、「−」は受信処理が実行されないことを示し、「◎」は「○」よりも受信が良好に実行されることを示す。
状態１の場合、低緯度地域では、屋内の窓際において、照度閾値（４０００ルクス）以上の光が１０秒以上継続して照射される場合があり、屋内において受信処理が実行される可能性があるため、受信に失敗する可能性がある。
また、高緯度地域では、屋内の窓際において、照度閾値以上の光が１０秒以上継続して照射されることがないため、屋内において受信処理が実行されることを回避できる。
【００９０】
状態１に対して、低緯度地域において、屋内において受信処理が実行されることを回避するには、低緯度地域における時間閾値を、１０秒から例えば２０秒に長くすればよい（状態２）。
図１４Ｂは、状態２の受信結果を示す図である。
状態２の場合、低緯度地域では、屋内の窓際において、照度閾値以上の光が２０秒以上継続して照射されることがないため、時間閾値を２０秒に設定することで、屋内において受信処理が実行されることを回避でき、受信成功率を向上できる。
なお、照度閾値を高くすることで、屋内において受信処理が実行されにくくすることもできるが、この場合、電子時計１が屋外に配置されていても、雨の日などは、ソーラーセル１３５に照射される光の照度が照度閾値以上とならず、受信処理が実行されない場合があり、屋外における受信頻度が低くなってしまう場合がある。このような場合は、上記のように、時間閾値を変更することで、屋内における受信成功率を向上させ、かつ、屋外における受信頻度が低くなることを抑制することが好ましい。
また、状態２の場合、低緯度地域において、例えば、電子時計１が建物の影から出て、すぐに別の建物の影に隠れた場合など、衛星信号を受信できる時間が短く、屋外ではあるが受信に成功できない状況で、受信処理が実行される可能性を低減できる。このため、屋外における受信成功率をさらに向上できる。
【００９１】
さらに、状態２に対して、高緯度地域において、屋外における受信頻度を多くするには、高緯度地域における照度閾値を、４０００ルクスから例えば３０００ルクスに低くすればよい（状態３）。
図１４Ｃは、状態３の受信結果を示す図である。
状態３の場合、高緯度地域において、屋外における受信頻度を高くできるため、受信をさらに適切に実行できる。また、高緯度地域では、屋内の窓際において、照度閾値（３０００ルクス）以上の光が１０秒以上継続して照射されることがないため、屋内において受信処理が実行されることは回避できる。
このように、時間閾値だけではなく、照度閾値も変更することで、受信条件をさらに適切に設定できる。
【００９２】
［第１実施形態の作用効果］
電子時計１が緯度の異なる地域に移動した場合、閾レベルおよび閾回数に、現在地の緯度に対応した値を設定できるため、閾レベルおよび閾回数を適切な値に設定できる。
また、これによれば、受信に失敗した場合に閾レベルおよび閾回数を大きくし、かつ、所定期間（例えば２４時間）、受信処理が実行されない場合に閾レベルおよび閾回数を小さくすることでのみ、閾レベルおよび閾回数を変更する場合と比べて、閾レベルおよび閾回数が適切な値に設定されるまでの間に受信に失敗する可能性を低減でき、消費電力を低減できる。さらに、閾レベルおよび閾回数が適切な値に設定されるまでの時間を短縮できる。
【００９３】
ＧＰＳ受信回路４５が測位モードでの受信処理を実行することで、現在地の緯度を取得できるため、例えば、ユーザーが操作部を操作して現在地の緯度を設定する必要がなく、利便性を向上できる。
また、直前に位置情報記憶部６３０の位置情報が更新されてから、電子時計１が移動しておらず、ＧＰＳ受信回路４５から出力された位置情報の緯度が、位置情報記憶部６３０に記憶されている緯度と同じ場合には、位置情報記憶部６３０の位置情報は更新されず、閾レベルおよび閾回数の設定は行われない。これによれば、ＧＰＳ受信回路４５から位置情報が出力される度に必ず前記設定を行う場合と比べて、処理負荷を低減できる。
また、ユーザーは、操作部を操作して現在地の都市情報を選択することで、現在地の緯度を設定できるため、例えば操作部を操作して緯度を直接設定する場合と比べて、位置情報の設定を容易に行うことができる。
【００９４】
受信に失敗した場合に閾レベルおよび閾回数が大きくなり、所定期間、受信処理が実行されない場合、閾レベルおよび閾回数が小さくなるため、例えば、位置情報記憶部６３０に、現在地の緯度が設定されておらず、閾レベルおよび閾回数に適切な値が設定されていない場合でも、使用環境に応じて当該値を変更できるため、受信成功率を向上でき、かつ、受信処理が長期間実行されないことを回避できる。
【００９５】
［第２実施形態］
次に、本発明の第２実施形態を説明する。
第１実施形態の電子時計１では、閾レベルおよび閾回数は、現在地の緯度に応じて設定されていたが、本実施形態の電子時計では、現在の月に応じて設定されている。その他の構成は、第１実施形態と同様であるから、その詳細な説明は省略または簡略化する。
【００９６】
本実施形態の電子時計では、閾値記憶部６４０の閾値データには、図１５に示すように、年月日の月の範囲と、閾レベルおよび閾回数とが対応付けられて記憶されている。
図１５の例では、月の範囲として、３〜５月（春）、６〜８月（夏）、９〜１１月（秋）、１２〜２月（冬）の４つの範囲が記憶されている。
図１５に示すように、夏の方が冬よりも、対応する閾レベルは高くなり、対応する閾回数は多くなる。また、春と秋には、夏と冬の間の閾値レベル、および、閾回数が対応付けられている。
【００９７】
本実施形態では、閾値設定部は、受信処理により時刻情報（ＧＰＳ時刻）の取得に成功した場合や、２日に１回などの予め設定された閾値設定タイミングになると、内部時刻データ６１３の内部時刻情報に基づいて年月日の月を判定する。ここで、本実施形態では、月が本発明の時刻情報の一例である。
【００９８】
そして、閾値設定部は、判定した月と、閾値記憶部６４０に記憶された月の範囲と閾値レベルおよび閾回数との関係に基づいて、閾値レベルおよび閾回数を設定する。
具体的には、閾値設定部は、閾値記憶部６４０に記憶されている月の範囲のうち、内部時刻情報に基づいて判定した月が属する範囲を判定する。そして、判定した月の範囲に対応付けられた閾レベルおよび閾回数を、閾レベルおよび閾回数に設定する。
例えば、図１５の例では、閾値設定部は、内部時刻情報に基づいて判定した月が例えば８月である場合、６〜８月の範囲に対応付けられた閾レベル「３」および閾回数「３」を、閾レベルおよび閾回数に設定する。
このような閾値設定処理によれば、閾レベルおよび閾回数を現在の月に対応した値に設定できる。
【００９９】
［第２実施形態の作用効果］
太陽光のエネルギーは、季節に応じて変化する。例えば、夏の太陽光のエネルギーは、冬の太陽光のエネルギーよりも大きい。このため、適切な閾レベルおよび閾回数は、季節に応じて変化する。
本実施形態によれば、閾レベルおよび閾回数に現在の月に対応した値を設定できるため、閾レベルおよび閾回数を適切な値に設定できる。
また、これによれば、受信に失敗した場合に閾レベルおよび閾回数を大きくし、かつ、所定期間、受信処理が実行されない場合に閾レベルおよび閾回数を小さくすることでのみ、閾レベルおよび閾回数を変更する場合と比べて、閾レベルおよび閾回数が適切な値に設定されるまでの間に受信に失敗する可能性を低減でき、かつ、閾レベルおよび閾回数が適切な値に設定されるまでの時間を短縮できる。
【０１００】
太陽光のエネルギーの大きさと季節との関係は、北半球と南半球とでは反対となる。このため、閾値記憶部６４０の閾値データが、例えば、北半球を想定して設定されたものである場合、電子時計が南半球で使用される場合は、閾レベルおよび閾回数が適切な値に設定されない場合がある。
このような場合でも、本実施形態によれば、第１実施形態と同様に、受信に失敗した場合に閾レベルおよび閾回数が大きくなり、所定期間、受信処理が実行されない場合、閾レベルおよび閾回数が小さくなるため、使用環境に応じて当該値を変更できるため、受信成功率を向上でき、かつ、受信処理が長期間実行されないことを回避できる。
その他、本実施形態によれば、第１実施形態と同様の構成により、第１実施形態と同様の作用効果を得ることができる。
【０１０１】
［第３実施形態］
次に、本発明の第３実施形態を説明する。
閾レベルおよび閾回数は、第１実施形態の電子時計１では、緯度に応じて設定され、第２実施形態の電子時計では、月に応じて設定されていたが、本実施形態の電子時計では、緯度および月に応じて設定されている。その他の構成は、第１実施形態および第２実施形態と同様であるから、その詳細な説明は省略または簡略化する。
【０１０２】
本実施形態の電子時計では、閾値記憶部６４０の閾値データには、図１６に示すように、緯度毎の月の範囲と、閾レベルおよび閾回数とが対応付けられて記憶されている。
図１６の例では、緯度として、２６°、５０°、７０°−２６°、−５０°、−７０°が記憶され、さらに、緯度毎に、月の範囲として、３〜５月および９〜１１月（春秋）と、６〜８月（夏）と、１２〜２月（冬）との３つの範囲が記憶されている。
図１６に示すように、北半球では、夏の方が冬よりも、対応する閾レベルは高くなり、対応する閾回数は多くなるが、南半球では、冬の方が夏よりも、対応する閾レベルは高くなり、対応する閾回数は多くなる。
【０１０３】
本実施形態では、閾値設定部は、位置情報記憶部６３０の位置情報が更新された場合や、２日に１回などの予め設定された閾値設定タイミングになると、位置情報記憶部６３０から位置情報である緯度を読み出す。さらに、閾値設定部は、内部時刻データ６１３の内部時刻情報に基づいて年月日の月を判定する。そして、閾値設定部は、読み出した緯度および判定した月と、閾値記憶部６４０に記憶された緯度毎の月の範囲と閾レベルおよび閾回数との関係に基づいて、閾レベルおよび閾回数を設定する。
具体的には、閾値設定部は、閾値記憶部６４０に記憶されている緯度毎の月の範囲のうち、位置情報記憶部６３０から読み出した緯度と最も近い緯度の月の範囲のうち、内部時刻情報に基づいて判定した月が属する範囲を判定する。そして、判定した月の範囲に対応付けられた閾レベルおよび閾回数を、閾レベルおよび閾回数に設定する。
例えば、図１６の例では、閾値設定部は、読み出した緯度が例えば３５°であり、内部時刻情報に基づいて判定した月が８月である場合、３５°と最も近い緯度である２６°の６〜８月に対応付けられた閾レベル「５」および閾回数「５」を、閾レベルおよび閾回数に設定する。
このような閾値設定処理によれば、閾レベルおよび閾回数を現在地の緯度や現在の月に対応した値に設定できる。
【０１０４】
［第３実施形態の作用効果］
太陽光のエネルギーは、緯度や季節に応じて変化する。例えば、低緯度地域では、季節に応じた太陽光のエネルギーの変動は小さいが、高緯度地域では、季節に応じた太陽光のエネルギーの変動は大きい。このため、閾レベルおよび閾回数は、緯度だけではなく季節も考慮して設定されることが好ましい。このように、適切な閾レベルおよび閾回数は、緯度および季節に応じて変化する。
本実施形態によれば、閾レベルおよび閾回数に、現在地の緯度および現在の月に対応した値を設定できるため、閾レベルおよび閾回数を適切な値に設定できる。
また、これによれば、受信に失敗した場合に閾レベルおよび閾回数を大きくし、かつ、所定期間、受信処理が実行されない場合に閾レベルおよび閾回数を小さくすることでのみ、閾レベルおよび閾回数を変更する場合と比べて、閾レベルおよび閾回数が適切な値に設定されるまでの間に受信に失敗する可能性を低減でき、かつ、閾レベルおよび閾回数が適切な値に設定されるまでの時間を短縮できる。
その他、本実施形態によれば、第１実施形態および第２実施形態と同様の構成により、第１実施形態および第２実施形態と同様の作用効果を得ることができる。
【０１０５】
［他の実施形態］
なお、本発明は前述の各実施形態に限定されるものではなく、本発明の目的を達成できる範囲での変形、改良等は本発明に含まれるものである。
【０１０６】
前記第１、第３実施形態では、現在地の緯度に応じて閾レベルおよび閾回数を設定しているが、本発明はこれに限定されない。例えば、標高など、値に応じて太陽光のエネルギーが変化するような位置情報に応じて閾レベルおよび閾回数を設定してもよい。
【０１０７】
前記第２、第３実施形態では、月に応じて閾レベルおよび閾回数を設定しているが、本発明はこれに限定されない。例えば、朝昼晩の時刻など、値に応じて太陽光のエネルギーが変化するような時刻情報に応じて閾レベルおよび閾回数を設定してもよい。
【０１０８】
前記各実施形態では、自動受信処理において、受信に失敗した場合、閾レベルを１レベル高い値に変更し、所定期間、受信処理が実行されない場合、閾レベルを１レベル低く値に変更しているが、本発明はこれに限定されない。例えば、受信に失敗した場合、閾回数を１回分多い値に変更し、所定期間、受信処理が実行されない場合、閾回数を１回分少ない値に変更してもよい。また、所定期間、検出レベルが閾レベル以上とならない状態が継続した場合に、閾レベルや閾回数を１段階小さい値に変更してもよい。また、自動受信処理において、閾レベルや閾回数を変更しなくてもよい。
【０１０９】
前記各実施形態では、閾レベルおよび閾回数は、緯度や月に応じて設定されるが、本発明はこれに限定されない。すなわち、閾レベルおよび閾回数の少なくとも一方が、緯度や月に応じて設定されていればよい。ただし、閾レベルおよび閾回数の両方を緯度や月に応じて設定する方が、受信条件をより適切に設定できる。
【０１１０】
前記各実施形態では、自動受信処理において、検出レベルが、閾回数以上連続して閾レベル以上であると判定された場合に、受信処理が実行されるが、本発明はこれに限定されない。例えば、検出レベルが閾レベル以上であると判定された場合に、受信処理が実行されるようにしてもよい。この場合は、閾レベルのみ、緯度や月に応じて設定すればよい。
【０１１１】
前記第１、第３実施形態では、閾値設定部は、位置情報記憶部６３０に記憶された緯度に基づいて、閾レベルおよび閾回数を設定しているが、本発明はこれに限定されない。例えば、閾値設定部は、ＧＰＳ受信回路４５から出力された位置情報の緯度を直接取得し、当該緯度に基づいて閾レベルおよび閾回数を設定してもよい。
また、前記第１、第３実施形態では、閾値設定部は、閾値記憶部６４０に記憶されている緯度のうち、位置情報記憶部６３０から読み出した緯度と最も近い緯度を選択し、選択した緯度に対応付けられた閾レベルおよび閾回数を、閾レベルおよび閾回数に設定しているが、本発明はこれに限定されない。
例えば、閾値設定部は、閾値記憶部６４０に記憶されている緯度のうち、位置情報記憶部６３０から読み出した緯度よりも低い緯度であって、読み出した緯度と最も近い緯度を選択してもよい。例えば、読み出した緯度が４０°の場合、２６°を選択してもよい。なお、読み出した緯度が２６°，−２６°よりも低い場合には、２６°，−２６°を選択する。これによれば、読み出した緯度と最も近い緯度を選択する場合と比べて、受信条件を厳しくできるため、受信に失敗する確率を低減できる。
また、反対に、閾値設定部は、閾値記憶部６４０に記憶されている緯度のうち、位置情報記憶部６３０から読み出した緯度よりも高い緯度であって、読み出した緯度と最も近い緯度を選択してもよい。例えば、読み出した緯度が３０°の場合、５０°を選択してもよい。なお、読み出した緯度が７０°，−７０°よりも高い場合には、７０°，−７０°を選択する。これによれば、読み出した緯度と最も近い緯度を選択する場合と比べて、受信条件を緩くできるため、受信処理が実行される頻度を多くできる。
【０１１２】
前記各実施形態では、照度検出部は、ソーラーセル１３５、充電状態検出回路４３、電圧検出回路４４によって構成されているが、本発明はこれに限定されない。すなわち、受光部を備え、受光部に当たる光の照度に応じて変化する値（照度と相関関係のある値）を出力する構成であればよい。
【０１１３】
前記各実施形態では、自動受信処理時には測時モードで受信し、測位モードでの受信は手動受信処理時のみに行う形態としたが、当然、測位モードでの受信を自動受信処理で行ってもよい。例えば、自動受信処理時の受信モードをユーザーが予め選択できるようにしておき、測位モードが選択された場合には自動受信処理時に測位モードで受信し、測時モードが選択された場合には自動受信処理時に測時モードで受信すればよい。
【０１１４】
本発明の電子機器は、腕時計（電子時計）に限定されず、例えば、携帯電話、登山等に用いられる携帯型のＧＰＳ受信機等、位置情報衛星から送信される衛星信号を受信する装置に広く利用できる。
【０１１５】
前記各実施形態では、位置情報衛星の例として、ＧＰＳ衛星１００について説明したが、本発明はこれに限定されない。例えば、位置情報衛星としては、ガリレオ（ＥＵ）、ＧＬＯＮＡＳＳ（ロシア）、Ｂｅｉｄｏｕ（中国）などの他の全地球的公航法衛星システム（ＧＮＳＳ）で利用される衛星が適用できる。また、静止衛星型衛星航法補強システム（ＳＢＡＳ）などの静止衛星や、準天頂衛星等の特定の地域のみで検索できる地域的衛星測位システム（ＲＮＳＳ）などの衛星も適用できる。
【符号の説明】
【０１１６】
１…電子時計（電子機器）、１００…ＧＰＳ衛星（位置情報衛星）、１３０…二次電池、１３５…ソーラーセル、２…Ａボタン、３…Ｂボタン、４…リューズ、４１…ダイオード、４２…充電制御用スイッチ、４２１…スイッチング素子、４３…充電状態検出回路、４４…電圧検出回路、４５…ＧＰＳ受信回路（受信部）、４６…計時装置、４７…入力装置、５０…制御回路、５１…自動受信制御部（受信制御部）、５２…手動受信制御部、５３…タイムゾーン設定部、５４…時刻修正部、５５…閾値設定部、５６…位置情報設定部、６１０…時刻データ記憶部、６３０…位置情報記憶部、６４０…閾値記憶部。
【図１】
2017138160.tif 000003
【図２】
2017138160.tif 000004
【図３】
2017138160.tif 000005
【図４】
2017138160.tif 000006
【図５】
2017138160.tif 000007
【図６】
2017138160.tif 000008
【図７】
2017138160.tif 000009
【図８】
2017138160.tif 000010
【図９】
2017138160.tif 000011
【図１０】
2017138160.tif 000012
【図１１】
2017138160.tif 000013
【図１２】
2017138160.tif 000014
【図１３】
2017138160.tif 000015
【図１４Ａ】
2017138160.tif 000016
【図１４Ｂ】
2017138160.tif 000017
【図１４Ｃ】
2017138160.tif 000018
【図１５】
2017138160.tif 000019
【図１６】
2017138160.tif 000020